(57)【要約】【課題】  全体としてコストの上昇を押さえることができる照明装置を供給することにある。  【解決手段】  リモコン４に照度値を測定する照度測定部４１と照度センサ１の出力値を受信する出力値受信部と所望の目標照度値を入力する目標照度入力部４９と演算部４０とを設け、演算部４０は、照度測定部４１により測定された照度値と、この照度値のときに出力値受信部が受信した照度センサの出力値と、から目標照度値に対応する照度センサ１の目標出力値を計算し、天井側に設けられる制御部３は、この目標出力値に基づき被照射面の明るさを略一定にするように照明器具２の光源を制御するものとしたので、演算部４０はリモコン４に存在するものとなり、照明器具２の設置数量が増えたとしても、演算部４０の数は増えず、全体としてコストの上昇を押さえることができる。【選択図】図１
2005135653.tif 000002
【特許請求の範囲】
【請求項１】
被照射面からの反射光を測定して反射光の大きさと対応した出力値を出力する照度センサと、光源を有した照明器具と、前記照度センサの出力値に基づき被照射面の明るさが略一定になるように前記光源を制御する制御部と、前記制御部に信号を送ることにより前記被照射面の明るさを所望のものに変えることができるリモコンと、を備えた照明装置において、前記リモコンに照度値を測定する照度測定部と前記照度センサの出力値を受信する出力値受信部と所望の目標照度値を入力する目標照度入力部と演算部とを設け、演算部は、前記照度測定部により測定された照度値と、この照度値のときに前記出力値受信部が受信した照度センサの出力値と、から目標照度値に対応する前記照度センサの目標出力値を計算し、前記制御部はこの目標出力値に基づき前記被照射面の明るさを略一定にするように前記光源を制御するものとしたことを特徴とする照明装置。
【発明の詳細な説明】
【技術分野】
【０００１】
本発明は、照度センサを用いて被照射面からの反射光が略一定になるように制御する照明装置に関する。
【背景技術】
【０００２】
この種の照明装置としては、特開２０００−２８６０６６号公報に開示されものがある。図７、図８は、これに開示された照明装置の図で、図７は照明装置のブロック構成図、図８は照明装置の照度センサの出力値（電圧値）と照度との関係を示す図である。このものは、自動調光照明装置１００と、リモコン４と、を備えて構成されている。
自動調光照明装置１００は、被照射面からの反射光を測定して反射光の大きさと対応した出力値を出力する照度センサ１と、光源を有した照明器具２と、照度センサ１の出力値に基づき被照射面の明るさが略一定になるように光源を制御する制御部３と、演算部３０と、リモコン４からの信号を受信する受信部３１と、を備えている。
リモコン４は、自動調光照明装置１００に信号を送ることにより被照射面の明るさを所望のものに変えることができるものであり、受信部３１に信号を送信する送信部４２と、照度値を測定する照度測定部４１と、所望の目標照度値を入力する目標照度入力部４３と、を備えている。
ここで演算部３０は、照度測定部４１により測定された照度値と、この照度値のときの照度センサ１の出力値と、から目標照度値に対応する照度センサ１の目標出力値を計算するものである。
【０００３】
このものは、照度測定部４１によって被照射面から所定の高さにおける照度値を測定し、この測定した照度値を送信部４２により受信部３１に送信し、これを受けて演算部３０は、受信部３１が受信した照度値と、このときの照度センサ１の出力値と、を記憶する。この操作を複数回行って、演算部３０は、出力値と照度との関係図を作成する。
その後、照度設定時には、目標照度入力部４３に目標照度値を入力する。この入力により演算部３０は、作成した関係図に基づき目標出力値を計算し、制御部３は照度センサ１の出力値がこの目標出力値になるように光源を制御するものとなる。これにより目標照度入力部４３に目標照度値を入力することで所望の照度に設定できるものとなる。
【特許文献１】特開２０００−２８６０６６号公報
【発明の開示】
【発明が解決しようとする課題】
【０００４】
ところが、このように構成された照明装置を例えばオフィスなどに設置した場合、天井に設置される照明器具が多数になることがある。多数になるとこれに比例して制御部３に組み込まれた演算部３０も多数必要となる。演算部３０は、記憶部や出力値と照度との関係図を作成するためのマイコンなどが必要で、これが多くなると全体としてコストも上がるものとなっていた。
【０００５】
本発明は、上記背景技術に鑑みてなしたもので、その課題は、全体としてコストの上昇を押さえることができる照明装置を供給することにある。
【課題を解決するための手段】
【０００６】
被照射面からの反射光を測定して反射光の大きさと対応した出力値を出力する照度センサと、光源を有した照明器具と、前記照度センサの出力値に基づき被照射面の明るさが略一定になるように前記光源を制御する制御部と、前記照度センサに信号を送ることにより前記被照射面の明るさを所望のものに変えることができるリモコンと、を備えた照明装置において、前記リモコンに照度値を測定する照度測定部と前記照度センサの出力値を受信する出力値受信部と所望の目標照度値を入力する目標照度入力部と演算部とを設け、演算部は、前記照度測定部により測定された照度値と、この照度値のときに前記出力値受信部が受信した照度センサの出力値と、から目標照度値に対応する前記照度センサの目標出力値を計算し、前記制御部はこの目標出力値に基づき前記被照射面の明るさを略一定にするように前記光源を制御するものとしたことを特徴とする照明装置。
【発明の効果】
【０００７】
本発明の照明装置においては、リモコンに照度値を測定する照度測定部と照度センサの出力値を受信する出力値受信部と所望の目標照度値を入力する目標照度入力部と演算部とを設け、演算部は、照度測定部により測定された照度値と、この照度値のときに前記出力値受信部が受信した照度センサの出力値と、から目標照度値に対応する前記照度センサの目標出力値を計算し、天井側に設けられる制御部は、この目標出力値に基づき被照射面の明るさを略一定にするように照明器具の光源を制御するものとしたので、演算部はリモコンに存在するものとなり、照明器具の設置数量が増えたとしても、演算部の数は増えず、全体としてコストの上昇を押さえることができる。
【発明を実施するための最良の形態】
【０００８】
本発明の照明装置を図１〜４を用いて説明する。図１は照明装置のブロック構成図面、図２は照明装置を天井に設置したときの模式図、図３は照明装置を天井に設置したときの配置図、図４は操作の手順を説明する説明図である。
【０００９】
この照明装置は、光源を有した照明器具２と、センサ部５０と、リモコン４と、を備えて構成されている。
センサ部５０は、被照射面からの反射光を測定して反射光の大きさと対応した出力値を出力する照度センサ１と、照度センサ１の出力値に基づき被照射面の明るさが略一定になるように光源を制御する制御部３と、リモコン４からの信号を送受信する送受信部６と、設定値を記憶する記憶部７と、を備えている。
リモコン４は、制御部３に信号を送ることにより被照射面の明るさを所望のものに変えることができるものであり、照度値を測定する照度測定部４１と照度センサ１の出力値を受信する出力値受信部を有しセンサ部５０にも信号を送れる送受信部４５と、数値を表示する表示部４６と、これらを制御する制御部４８と、を備えている。
照明器具２は、制御部３からの調光信号を受け、この調光信号に応じた出力で光源を点灯させる点灯回路を備えている。
【００１０】
ここで重要なことは、リモコン４に、所望の目標照度値を入力する目標照度入力部４９と、照度測定部４１で測定した測定値と出力値受信部で受信した照度センサ１の出力値とを記憶するとともにこれらの値をもとに計算を行なう演算部４０と、を設けたことである。そして、演算部４０を照度測定部４１により測定された照度値と、この照度値のときに送受信部４５（出力値受信部）が受信した照度センサ１の出力値と、から目標照度値に対応する照度センサ１の目標出力値を計算するものとしたことである。さらに、この目標出力値を送受信部４５によりセンサ部５０の送受信部６に送り、センサ部５０の制御部３はこの目標出力値に基づき被照射面の明るさを略一定にするように光源を制御するものとしたことである。
【００１１】
このように構成された照明装置は、センサ部５０と照明器具２とが通信線で接続されて図２のように各々天井に設置される。図３は、このようにして天井に配置された照明装置の配置図で、エリアＡには、センサ部５０が１台に対して照明器具２が４台配置されており、エリアＢ、エリアＣも同様なものになっている。
【００１２】
次に、図４を用いてこの照明装置の操作の手順を説明する。まず、リモコン４の照度測定部４１によりエリアＡにおける照度値を測定する。通常は、エリアＡに設けられたセンサ部５０の直下であって、所定の高さにおける照度を測定する。（ステップ１）このときリモコン４の演算部４０は、測定した照度値を記憶する。さらにリモコン４の送受信部４５（出力値受信部）により、照度センサ１の出力値（ここでは、センサ電圧）をセンサ部５０から受信し、演算部４０は、この出力値（センサ電圧）を記憶する。（ステップ２）
次に、所望の目標照度値を目標照度入力部４９に入力する。すると演算部４０は、これに記憶された照度値と出力値（センサ電圧）の関係から目標照度値に対応する照度センサ１の目標出力値（目標センサ電圧）を計算する。（ステップ３）そして、リモコン４の送受信部４５は、この目標出力値（目標センサ電圧）をセンサ部５０に送信する。（ステップ４）これを受けて、センサ部５０の記憶部７はこの目標出力値（目標センサ電圧）を記憶する。
【００１３】
この操作をエリアＢ、エリアＣにおいても行なう。すべてのエリアにおいて目標出力値（目標センサ電圧）が決まれば、制御部３はこの目標出力値に基づき被照射面の明るさを略一定にするように光源を制御する。具体的には、制御部３は、照度センサ１の出力電圧が目標センサ電圧となるように光源の光出力を制御する。
このようにして被照射面を所望の目標照度とすることができる。
【００１４】
ここで目標出力値（目標センサ電圧）の計算方法を詳細に説明する。照度センサ１は、床や机、什器などの被照射面からの反射光を測定して反射光の大きさと対応した出力値（センサ電圧）を出力する。被照射面からの反射光は、室内の環境すなわち机、什器の配置や床を含めた反射率が一定で、かつ、外光がないときは、図５に示すように照度測定部４１により測定した照度と照度センサ１の出力とは、正比例の関係になる。このことから図６に示すように照度測定部４１により測定した照度値と、そのときの照度センサ１の出力値（センサ電圧値）、及び、を目標照度入力部４９に入力された目標照度値と、から目標センサ電圧は、次のようになる
目標センサ電圧＝センサ電圧値×目標照度値÷照度値
このようにして目標出力値（目標センサ電圧）の計算が行われている。
【００１５】
この実施の形態によると、リモコン４に照度値を測定する照度測定部４１と照度センサ１の出力値を受信する出力値受信部と所望の目標照度値を入力する目標照度入力部４９と演算部４０とを設け、演算部４０は、照度測定部４１により測定された照度値と、この照度値のときに出力値受信部が受信した照度センサの出力値と、から目標照度値に対応する照度センサ１の目標出力値を計算し、天井側に設けられる制御部３は、この目標出力値に基づき被照射面の明るさを略一定にするように照明器具２の光源を制御するものとしたので、演算部４０はリモコン４に存在するものとなり、照明器具２の設置数量が増えたとしても、演算部４０の数は増えず、全体としてコストの上昇を押さえることができる。
【図面の簡単な説明】
【００１６】
【図１】本発明の一実施形態に係る照明装置のブロック構成図である。
【図２】同上の照明装置を天井に設置したときの模式図である。
【図３】同上の照明装置を天井に設置したときの配置図である。
【図４】同上の照明装置の操作の手順を説明する説明図である。
【図５】同上の照明装置の照度測定値と照度センサの電圧値の関係を示す図である。
【図６】同上の照明装置の目標センサ電圧の計算方法を説明する説明図である。
【図７】従来例に係る照明装置のブロック構成図である。
【図８】同上の照明装置の照度センサの出力値と照度との関係を示す図である。
【符号の説明】
【００１７】
１      照度センサ
２      照明器具
３      制御部
４      リモコン
４０    演算部
４１    照度測定部
４５    送受信部（出力値受信部）
４９    目標照度入力部
５０    照度センサ部
【図１】
2005135653.tif 000003
【図２】
2005135653.tif 000004
【図３】
2005135653.tif 000005
【図４】
2005135653.tif 000006
【図５】
2005135653.tif 000007
【図６】
2005135653.tif 000008
【図７】
2005135653.tif 000009
【図８】
2005135653.tif 000010